(57)【要約】【課題】従来技術における欠点が排除され、高温型ランプの冷却を増長させ、高温型ランプ用のベース部の改良されたランプコネクタを提供すること。【解決手段】一体の冷却システム（１２）を含むランプ（１０）であって、９００℃以上の温度下に動作する光源（１６）を含む水晶製エンベロープ（１４）と、該水晶製エンベロープの一端に位置付けられ、光源に電気的に接続するための電気引込み部（２０、２２）を含むシール部（１８）と、当該シール部の２つの側面に対してのみ固定したセラミック製のベース部（２４）にして、電気引込み部に接続した一対の接点（３２、３４）を含む円周方向底部（３０）を含むベース部と、該ベース部とシール部との間の空気通路（３６）と、を含むランプ。【選択図】図１
2010135322.tif 000002
【特許請求の範囲】
【請求項１】
一体の冷却システムを含むランプであって、
９００℃以上の温度下に動作する光源を含む水晶製エンベロープと、
該水晶製エンベロープの一端に位置付けられ、光源に電気的に接続するための電気引込み部を含むシール部と、
当該シール部の２つの側面に対してのみ固定したセラミック製のベース部にして、電気引込み部に接続した一対の接点を含む円周方向底部を含むベース部と、
該ベース部とシール部との間の空気通路と、
を含むランプ。
【請求項２】
光源がタングステンフィラメントである請求項１のランプ。
【請求項３】
水晶製エンベロープが、シール部の上方で且つセラミック製ベース部の上方の部分にして、熱及び光絶縁性のペイントで覆われた部分を含む請求項２のランプ。
【請求項４】
ペイントが酸化亜鉛を含む請求項３のランプ。
【請求項５】
高温ランプ用のベース部であって、
円周方向底部と、
該円周方向底部から上方に伸延し、対向配置された各壁にして、円周方向底部の直径未満の厚さを有し、各壁の間部分には高温ランプのシール部の各側部を受ける空間を画定する各壁と、
を含むベース部。
【発明の詳細な説明】
【技術分野】
【０００１】
本発明はランプ、特には高温化に動作するランプに関し、詳しくは、一体の冷却部により特徴付けられるベース部を含むランプに関する。
【背景技術】
【０００２】
高温ランプ、即ち、１０００℃に迫る温度範囲下に動作するランプは、そうした動作温度に耐え得る材料で形成したベース部を備える必要がある。そうした材料には、もっと低温下に動作するランプがプラスチック材料を使用するのとは対照的にセラミック材料を含む。好適なセラミック材料はステアタイトである。ステアタイトは良い材料ではあるが本質的に断熱性を持つため、その悪影響としてランプの、当該材料部分に嵌合するシール部分の温度を上昇させ、シール部に亀裂や欠損が生じることがある。また、シール部の高温化は、ヒューズ割れ又は引き出し線の溶接部が酸化する原因ともなり得る。
【発明の概要】
【発明が解決しようとする課題】
【０００３】
従って、解決しようとする課題は、従来技術における上述した欠点を排除し、高温型ランプの冷却を増長させ、高温型ランプ用のベース部の改良されたランプコネクタを提供することである。
【課題を解決するための手段】
【０００４】
前記課題を解決する本発明の１様相によれば、一体の冷却システムを含むランプであって、９００℃以上の温度下に動作する光源を含む水晶製エンベロープと、該水晶製エンベロープの一端に位置付けられ、光源に電気的に接続するための電気引込み部を含むシール部と、当該シール部の２つの側面に対してのみ固定したセラミック製のベース部にして、電気引込み部に接続した一対の接点を含む円周方向底部を含むベース部と、該ベース部とシール部との間の空気通路と、を含むランプが提供される。空気通路は、シール部における温度を５０％の範囲で低下させ、かくしてランプ寿命を大幅に伸ばす。
【発明の効果】
【０００５】
従来技術における上述した欠点が排除され、高温型ランプの冷却を増長させ、高温型ランプ用のベース部の改良されたランプコネクタが提供される。
【図面の簡単な説明】
【０００６】
【図１】図１は、従来のランプの正面図である。
【図２】図２は、本発明の１実施例における正面図である。
【図３】図３は、本発明の１様相におけるベース部の斜視図である。
【図４】図４は、図３のベース部の平面図である。
【図５】図５は、図３のベース部の側面図である。
【発明を実施するための形態】
【０００７】
図面を参照して以下に本発明を詳しく説明するに、図１には従来のランプ１０ａが示され、９００℃以上の温度下に動作する光源１６ａを含む水晶製エンベロープ１４ａを有している。例えばプレスシールであるシール部１８ａが、水晶製エンベロープ１４ａの一端を閉じ、光源１６ａに電気的に接続するための電気引込み部２０ａ、２２ａを含んでいる。筒状のセラミックベース部２４ａがシール部１８ａを包囲し、電気引込み部２０ａ、２２ａに連結した一対の接点３２ａ、３４ａを含んでいる。図の右側にはランプ動作中における各部の温度値が示されるが、ベース部２４ａの内側部分が４２３℃となっている点に注目されたい。この部分は冷却が難しく、それ故、シール部の亀裂による上述した如き欠損が生じて空気が入り、ランプが破壊される。
【０００８】
この問題を回避する図２に例示するランプが提供される。ランプ１０は一体の冷却システム１２を含む。ランプ１０は水晶製エンベロープ１４を含み、当該水晶製エンベロープ１４が、９００℃以上の温度下に動作する、例えば、２重コイル型白熱フィラメントである光源１６を含む。例えばプレスシールであるシール部１８が水晶製エンベロープの一端に位置付けられ、光源１６に電気的に接続する電気引込み部２０、２２を含んでいる。本実施例において、直立壁４４及び４６を有するセラミックベース部２４が、シール部１８に、当該シール部の２つの側面２６、２８に対してのみ固定される（プレスシールは実質的に矩形断面を有する）。セラミックベース部２４は、例えばリード２１、２３により引込み部２０、２２に連結した一対の接点３２、３４を有する円周方向底部３０と、円周方向底部３０とシール部１８との間の一対の通路３６とを含む。
【０００９】
ランプ１０は、シール部１８の上方で且つセラミックベース部の上方の、例えば酸化亜鉛の層の如き熱及び光絶縁性ペイント４２により覆われた部分４０を含む。
図２のランプに示した各部分の温度に見られるように、各温度は従来型ランプにおけるそれらよりも劇的に低下されており、ペイントで覆った部分４０から下方の通路３６に至る部分の温度は１８４℃を記録した。
セラミックベース部２４は、ステアタイト又はアルミナセラミックのような高温セラミック材料から構成され、その詳細は図３〜図５に示される。
以上、本発明を実施例を参照して説明したが、本発明の内で種々の変更をなし得ることを理解されたい。
【符号の説明】
【００１０】
１０  ランプ
１２  冷却システム
１４  水晶製エンベロープ
１６  光源
１８  シール部
２０  引込み部
２１  リード
２４  セラミックベース部
２６  側面
３０  円周方向底部
３２  接点
３６  通路
４０  部分
４２  光絶縁性ペイント
４４  直立壁
【図１】
2010135322.tif 000003
【図２】
2010135322.tif 000004
【図３】
2010135322.tif 000005
【図４】
2010135322.tif 000006
【図５】
2010135322.tif 000007